(57)【要約】【課題】。起動時において比較的に大きな電力を必要とする負荷に対しても失速せずに電力を供給すること。【解決手段】ワークアウトスイッチ２５や通信回路２１などは外部負荷に対して電力を供給すること（供給開始）を示す予告を受け付ける。制御部９は予告が受け付けられると、発電機６で供給できる電力が一時的に増強されるよう空気の流入量、燃料の噴射量に起因した空燃比および点火装置の点火時期の進角を制御する。【選択図】図２
2019100198.tif 000002
【特許請求の範囲】
【請求項１】
エンジンと、
前記エンジンに供給される空気の流入量を調整するスロットルと、
前記エンジンに燃料を噴射する噴射装置と、
前記エンジンにおいて前記燃料と前記空気との混合気体に点火する点火装置と、
前記エンジンにより駆動されて発電する発電機と、
前記発電機により生成された電力を外部負荷に供給する供給部と、
前記外部負荷に対して前記供給部から電力を供給することを示す予告を受け付ける受付部と、
前記受付部に前記予告が受け付けられると、前記発電機で供給できる電力が一時的に増強されるよう前記空気の流入量、前記燃料の噴射量に起因した空燃比および前記点火装置の点火時期の進角を制御する制御部と、
を有することを特徴とするエンジン発電機。
【請求項２】
前記予告が受け付けられると計時を開始するタイマーをさらに有し、
前記制御部は、前記予告が受け付けられると前記発電機で供給できる電力が増強されるよう前記空気の流入量を増加させ、前記燃料の噴射量に起因した空燃比をリッチにし、かつ、前記点火装置の点火時期の進角を増加させ、前記タイマーにより計時された時間が所定時間以上になると、前記空気の流入量、前記燃料の噴射量に起因した空燃比、および、前記点火装置の点火時期の進角を元の値に戻すことを特徴とする請求項１に記載のエンジン発電機。
【請求項３】
前記予告が受け付けられると、前記発電機の出力が所定閾値を超えているかどうかを判定する判定手段をさらに有し、
前記制御部は前記発電機の出力が所定閾値を超えていれば前記電力の一次的増強を禁止し、前記発電機の出力が所定閾値を超えていなければ前記電力の一次的増強を許可することを特徴とする請求項１または２に記載のエンジン発電機。
【請求項４】
前記エンジンの温度を検知する温度センサと、
前記予告が受け付けられると、前記エンジンの温度が前記電力の一次的増強を許可可能な温度であるかどうかを判定する判定手段と、
をさらに有し、
前記制御部は、前記エンジンの温度が前記電力の一次的増強を許可可能な温度でなければ前記電力の一次的増強を禁止し、前記エンジンの温度が前記電力の一次的増強を許可可能な温度であれば前記電力の一次的増強を許可することを特徴とする請求項１または２に記載のエンジン発電機。
【請求項５】
前記スロットルの開きの余裕度が所定閾値以上かどうかを判定する判定手段をさらに有し、
前記制御部は前記スロットルの開きの余裕度が所定閾値以上でなければ前記電力の一次的増強を禁止し、前記スロットルの開きの余裕度が所定閾値以上であれば前記電力の一次的増強を許可することを特徴とする請求項１または２に記載のエンジン発電機。
【請求項６】
前記電力の一次的増強を禁止すべきときに前記供給部に過大な外部負荷が接続されることを警告する通知を出力する出力手段をさらに有することを特徴とする請求項３ないし５のいずれか一項に記載のエンジン発電機。
【請求項７】
前記受付部は前記電力の一次的増強を要求する状態と前記電力の一次的増強を解除した状態とを切り替えるスイッチを含むことを特徴とする請求項１ないし６のいずれか一項に記載のエンジン発電機。
【請求項８】
前記受付部は前記電力の一次的増強を要求する状態と前記電力の一次的増強を解除した状態とを切り替える指示を受信する通信手段を含むことを特徴とする請求項１ないし６のいずれか一項に記載のエンジン発電機。
【請求項９】
前記制御部は、前記発電機で供給できる電力を一時的に増強するために前記空燃比を１２．０以上でかつ１２．５以下に設定することを特徴とする請求項１ないし８のいずれか一項に記載のエンジン発電機。
【請求項１０】
前記制御部は、前記発電機で供給できる電力を一時的に増強するために前記点火装置の点火時期をＭＢＴ（ミニマムアドバンスドフォーベストトルク）に設定することを特徴とする請求項１ないし９のいずれか一項に記載のエンジン発電機。
【発明の詳細な説明】
【技術分野】
【０００１】
本発明はエンジン発電機に関する。
【背景技術】
【０００２】
内燃エンジンを有した携帯型発電機は建設現場やアウトドアレジャー、屋台で電気機器に電力を供給するために使用される。特許文献１によれば、負荷の起動時に負荷の大きさに応じた回転速度でエンジンを駆動することが提案されている。
【先行技術文献】
【特許文献】
【０００３】
【特許文献１】特開２０１３−１０６４４７号公報
【発明の概要】
【発明が解決しようとする課題】
【０００４】
ところで、ＲＶ（レジャーヴィークル）に搭載されるエアコンに電力を供給するために携帯型発電機が利用されることもある。このようなエアコンはモータ（誘導電動機）とコンプレッサを有しているが、エアコンの起動時にモータが定格値を超える起動電力を必要とする。そのため、モータの定格値に相当する発電容量の発電機をユーザが用意しても、エアコンを起動できなかった。特許文献１のような手法では、エアコンの起動電力に対応した回転速度までエンジンの回転速度がすぐには上昇できないため、結局のところエンジンが失速してしまう。したがって、ユーザは、より大きな発電容量の発電機を買いなおさなければならず、ユーザビリティが欠けていた。そこで、本発明は、起動時において比較的に大きな電力を必要とする負荷に対しても失速せずに電力を供給できるエンジン発電機を提供することを目的とする。
【課題を解決するための手段】
【０００５】
本発明によれば、たとえば、
エンジンと、
前記エンジンに供給される空気の流入量を調整するスロットルと、
前記エンジンに燃料を噴射する噴射装置と、
前記エンジンにおいて前記燃料と前記空気との混合気体に点火する点火装置と、
前記エンジンにより駆動されて発電する発電機と、
前記発電機により生成された電力を外部負荷に供給する供給部と、
前記外部負荷に対して前記供給部から電力を供給することを示す予告を受け付ける受付部と、
前記受付部に前記予告が受け付けられると、前記発電機で供給できる電力が一時的に増強されるよう前記空気の流入量、前記燃料の噴射量に起因した空燃比および前記点火装置の点火時期の進角を制御する制御部と、
を有することを特徴とするエンジン発電機が提供される。
【発明の効果】
【０００６】
本発明によれば、起動時において比較的に大きな電力を必要とする負荷に対しても失速せずに電力を供給できるエンジン発電機が提供される。
【図面の簡単な説明】
【０００７】
【図１】エンジンシステムを示す概略図
【図２】制御部と電源回路を示すブロック図
【図３】ワークアウト運転を説明するフローチャート
【図４】回転速度と軸出力との関係を示す図
【図５】Ａ／Ｆ比と軸出力との関係を示す図
【図６】回転速度と出力トルクとの関係を示す図
【発明を実施するための形態】
【０００８】
●実施例１
＜エンジンシステム＞
図１はエンジンシステム１００を示す概略図である。エンジンシステム１００は電子燃料噴射制御システムと呼ばれてもよい。内燃エンジン１は４ストローク式のエンジンである。クランクケース２にはクランクシャフト１９が収容されている。クランクシャフト１９が回転することでコンロッド３に連結されたピストン４をシリンダ内で上下運動させる。クランクシャフト１９には内燃エンジン１を始動するためのリコイルスターター５が連結されている。リコイル操作者はリコイルスターター５の把手を掴んで引っ張ることでクランクシャフト１９を回転させる。クランクシャフト１９には発電機６が連結されており、クランクシャフト１９が回転することで発電機６のローターが回転して発電する。クランクシャフト１９のクランク角はクランク角センサ７によって検知される。クランク角センサ７は、たとえば、クランクシャフト１９に連結されたフライホイールに設けられたマグネットの磁気を検知するホール素子などであってもよい。クランク角センサ７の検知結果はエンジン回転速度を演算するために使用されてもよい。電源回路８は発電機６により生成された交流を、一定周波数の交流に変換するインバータや、交流を直流に変換する回路、直流電圧のレベルを変換する回路などを有している。電源回路８は発電機６により生成された電力を制御部９に供給する。なお、リコイルスターター５によってクランクシャフト１９が回転すると、発電機６は制御部９が動作するのに十分な電力を発生する。制御部９はエンジン制御ユニット（ＥＣＵ）であり、電源回路８から点火装置１１、燃料ポンプ１４、インジェクタ１５およびスロットルモータ１６などに供給する電力を制御する。点火装置１１は、点火プラグ１２に火花放電させるための点火電力を供給する。燃料タンク１３は燃料を収容する容器である。燃料ポンプ１４は燃料タンク１３に収容されている燃料をインジェクタ１５に供給するポンプである。図１において燃料ポンプ１４は燃料タンク内に設けられている。スロットルモータ１６は吸気経路５０を介してシリンダに流入する空気の流入量を制御するためのモータである。吸気バルブ１７はクランクシャフト１９の回転運動を上下運動に変換するカム等によって開閉するバルブである。吸気バルブ１７は吸気行程において開き、圧縮行程、膨張行程および排気行程では基本的に閉じている。排気バルブ１８はクランクシャフト１９の回転運動を上下運動に変換するカム等によって開閉するバルブである。排気バルブ１８は排気行程において開き、圧縮行程、膨張行程および吸気行程においては基本的に閉じている。排気から吸気への遷移をスムーズにするために、吸気バルブ１７と排気バルブ１８とが同時に開く期間が設けられてもよい（オーバーラップ）。Ｏ２センサ４２はシリンダから排気経路５１へ排出された排気ガス中における酸素濃度を検知するセンサである。温度センサ４３は内燃エンジン１の温度を検知するセンサである。
【０００９】
＜制御部と電源回路＞
図２は制御部９の機能と電源回路８の機能を示している。制御部９の機能はＡＳＩＣやＦＰＧＡなどのハードウエアにより実現されてもよいし、ＣＰＵがメモリに記憶されている制御プログラムを実行することで実現されてもよい。ＡＳＩＣは特定用途集積回路の略称である。ＦＰＧＡはフィールドプラグラマブルゲートアレイの略称である。ＣＰＵは中央演算処理装置の略称である。
【００１０】
設定部２０は内燃エンジン１の制御パラメータを設定するユニットである。設定部２０は、スロットル制御部２３を通じてスロットルモータ１６を制御し、空気の流入量を調整する。これにより、エンジン回転速度が制御される。設定部２０は点火制御部２４を通じて点火装置１１を制御する。点火制御部２４は、クランク角センサ７の検知結果に基づき点火時期の進角を調整する。設定部２０は、温度センサ４３により検知された内燃エンジン１の温度や発電機６の負荷、ワークアウトスイッチ２５のオン／オフなどに応じて目標空燃比を決定してもよい。設定部２０は、Ｏ２センサ４２の検知結果を空燃比に変換し、この空燃比が目標空燃比となるようにポンプ制御部２７を通じて燃料ポンプ１４を駆動し、燃料の供給量を調整してもよい。設定部２０はクランク角センサ７の検知結果に基づきエンジン行程を判別し、エンジン行程にしたがってインジェクタ制御部２６を通じてインジェクタ１５の噴射タイミングを制御してもよい。ワークアウトスイッチ２５は、外部負荷がＡＣアウトレット３３に接続されるのに先立って、外部負荷が接続すること（大きな電力の供給を開始すること）を予告するためのスイッチである。設定部２０は、ワークアウトスイッチ２５により予告が受け付けられると、外部負荷が接続されても失速しないように、内燃エンジン１の回転速度をワークアウト回転速度まで予め上昇させる。ワークアウト回転速度は、通常運転時における上限値よりも高い。これにより、発電機６は一時的に出力を増強できるようになる。設定部２０は、ワークアウトスイッチ２５から入力されるワークアウト指示または通信回路２１を通じてリモコンまたはスマートフォンなどから受信されるワークアウト指示にしたがって、内燃エンジン１をワークアウト状態に遷移させる。ワークアウト状態とは、内燃エンジン１がワークアウト回転速度で動作している状態である。タイマー２８はワークアウト状態の継続時間が制限時間を超えないように継続時間を監視するためのタイマーである。これにより内燃エンジン１が保護される。判定部２９は、内燃エンジン１がワークアウト状態に遷移できるかどうかを判定する。出力部３７は、内燃エンジン１がワークアウト状態に遷移できないときに警告を出力する。内燃エンジン１がワークアウト状態に遷移できないときにエアコンなどが接続されてしまうと、内燃エンジン１が失速してしまうからである。なお、内燃エンジン１がワークアウト状態に遷移可能となったこと（つまり、エアコンなどを接続可能となったこと）を示す通知を出力部３７が出力してもよい。これによりユーザは安心してエアコンなどの外部負荷をＡＣアウトレット３３に接続できるようになろう。
【００１１】
電源回路８においてインバータ３０は、発電機６により生成された交流を所定周波数の交流に変換する変換回路である。整流回路３１は発電機６により生成された交流により生成された交流を整流する回路である。平滑回路３２は整流回路３１により生成された脈流を平滑して直流を生成する回路である。これにより、たとえば、１２Ｖの直流電圧が生成される。制御部９は発電機６や内燃エンジン１の負荷に応じて燃料ポンプ１４に供給される電力をＰＷＭ制御してもよい。ＤＣ／ＤＣコンバータ３５は直流電圧のレベルを変換する回路である。たとえば、ＤＣ／ＤＣコンバータ３５は、１２Ｖの直流電圧を５Ｖや３．３Ｖの直流電圧に変換する。ＤＣ／ＤＣコンバータ３５は、ＤＣアウトレット３４から外部負荷に直流電圧を供給する。
【００１２】
インバータ３０は、ＡＣアウトレット３３を通じて外部負荷に交流電圧を供給する。とりわけ、インバータ３０とＡＣアウトレット３３との間には、設定部２０によりオン／オフを切り替えられるスイッチ３６（オプション）が設けられていてもよい。スイッチ３６は、半導体スイッチやリレー回路などであってもよい。設定部２０はワークアウト指示が受け付けられたときに、ワークアウト状態に遷移可能となるまでスイッチ３６をオフにし、ワークアウト状態に遷移可能となるとスイッチ３６をオンに切り替えてもよい。これにより、内燃エンジン１の失速が抑制されてもよい。
【００１３】
出力監視部５２は発電機６の出力を監視する。たとえば、ＡＣアウトレット３３が複数のコンセントレセプタクルを有している場合、複数の外部負荷に対して電力が供給可能である。そのため、エアコンをコンセントレセプタクルに接続しようとしたときに、すでに別の外部負荷が別のコンセントレセプタクルに接続されていることも考えられる。そのため、エアコンの起動電力と、別の外部負荷に供給されている電力との合計値が、ワークアウト電力を超えていれば、発電機６はエアコンに起動電力を供給できない。そのため、判定部２９は、出力監視部５２の監視結果に基づいてワークアウト状態に遷移可能かどうか（エアコンに起動電力を供給できるかどうか）を判定してもよい。ここで、ワークアウト状態における発電機６の発電能力とエアコンの起動電力とはほぼ一致していることが想定されている。
【００１４】
＜フローチャート＞
図３はワークアウト運転を説明するフローチャートである。
【００１５】
Ｓ３０１で設定部２０はワークアウト指示が受け付けられているかどうかを判定する。ワークアウトスイッチ２５や通信回路２１を通じてワークアウト指示が受け付けられると、設定部２０はＳ３０２に進む。ワークアウト指示は、たとえば、ワークアウトスイッチ２５をオフからオンに切り替えることであってもよい。
【００１６】
Ｓ３０２で判定部２９は内燃エンジン１の状態と発電機６の状態を取得する。たとえば、判定部２９は温度センサ４３からエンジン温度を取得してもよい。判定部２９は出力監視部５２から発電機６の現在出力を示す情報を取得してもよい。判定部２９はスロットル制御部２３を通じてスロットルモータ１６の開度（スロットル開度またはスロットル余裕度）を取得してもよい。
【００１７】
Ｓ３０３で判定部２９は内燃エンジン１の状態と発電機６の状態に基づき内燃エンジン１がワークアウト可能かどうかを判定してもよい。ワークアウトが可能な条件（ワークアウト条件）は、たとえば、以下のとおりである。
・エンジン温度が温度閾値以下であること
・発電機６の現在出力が出力閾値以下であること
・スロットル余裕度が閾値以上であること
判定部２９はワークアウト条件が満たされていればＳ３０４に進む。判定部２９はワークアウト条件が満たされていなければＳ３１０に進む。Ｓ３１０で判定部２９は出力部３７にワークアウトが不可能であることを示す警告を出力する。たとえば、出力部３７は、ワークアウトが不可能であることを示す赤色ＬＥＤを点灯してもよい。あるいは、出力部３７は、ワークアウトが不可能であることを示すメッセージを表示する表示装置を有していてもよい。また、出力部３７は通信回路２１を通じてリモコンやスマートフォンに警告を送信してもよい。
【００１８】
Ｓ３０４で判定部２９または設定部２０はタイマー２８をリセットしてカウントをスタートさせる。タイマー２８はワークアウト運転の継続時間を計測する。
【００１９】
Ｓ３０５で設定部２０は、メモリ２２からワークアウト運転用の制御パラメータを読み出して、スロットル制御部２３、点火制御部２４、ポンプ制御部２７などに設定する。制御パラメータは、たとえば、目標回転速度、空燃比、点火時期の進角などを含む。
【００２０】
図４は回転速度、軸出力および出力トルクの関係を示している。内燃エンジン１の軸出力はトルクと回転速度の積である。たとえば、回転速度に対してトルクが一定であれば、回転速度に比例して軸出力が増加する。つまり、回転速度に比例して発電機６の出力も増加する。外部負荷に対して急激に電力を供給しようとすると、内燃エンジン１の回転速度は低下する。たとえば、アイドル回転速度で動作している内燃エンジン１は、発電機６にエアコンが接続されると、失速してしまう。そこで、発電機６にエアコンが接続される前に、制御部９は、内燃エンジン１の回転速度をワークアウト回転速度まで上昇させる。エアコンが接続されると、内燃エンジン１の回転速度はワークアウト回転速度よりも低下するが、失速を免れることができる。このように、制御部９は、内燃エンジン１の回転速度がワークアウト回転速度に到達すると、外部負荷への電力の供給を開始してもよい。
【００２１】
図５は空燃比（Ａ／Ｆ比）と軸出力との関係を示している。一般にＡ／Ｆ比が１２．０から１２．５までであるときに、ガソリンエンジンの軸出力は最も大きくなることが知られている。一方でガソリンに含まれる炭化水素と空気に含まれる酸素を反応させることで、Ｈ２ＯとＣＯ２が生成される。ここで、空気と酸素とのどちらも余剰とならないＡ／Ｆ比（ストイキ）は１４．７であることも知られている。排気ガスエミッションに重点を置く場合、Ａ／Ｆ比は１４．７に設定されることが一般的である（ストイキ制御）。また、燃料消費の抑制に重点を置く場合、Ａ／Ｆ比が１８程度まで大きくされる（リーンバーン制御）。この場合、軸出力はかなり低下するため、発電機６の負荷駆動能力も低下する。ただし、発電機６で軽負荷を駆動するにはこの状態でも十分である。ワークアウト指示が入力されると、制御部９は、ストイキ制御またはリーンバーン制御を取りやめ、Ａ／Ｆ比を１２．０以上でかつ１２．５以下のいずれかの値に設定する。図５が示すように、Ａ／Ｆ比が１２．０以上でかつ１２．５以下の範囲では軸出力が最大となることが期待される。
【００２２】
図６は回転速度と出力トルクとの関係を示している。最大の出力トルクが期待できる点火時期はＭＢＴ(Minimum-advanced for Best Torque)と呼ばれる。しかし、内燃エンジン１の回転の安定を優先するため、点火時期がＭＢＴに設定されないことがほとんどである。そこで、ワークアウト指示が入力されると、設定部２０は、点火時期をＭＢＴに設定する。これにより、出力期待値が最大となる。
【００２３】
Ｓ３０６で判定部２９は内燃エンジン１の状態、発電機６の状態、および、タイマー２８のカウント値（タイマー値）を取得する。
【００２４】
Ｓ３０７で判定部２９は内燃エンジン１がワークアウト運転を継続可能かどうかを判定する。ワークアウト運転を継続可能な条件（継続条件）は、たとえば、以下のとおりである。
・エンジン温度が温度閾値以下であること
・発電機６の現在出力が最大出力値以下であること
・スロットル余裕度が閾値以上であること
・タイマー２８により計測されたワークアウト継続時間が制限時間以下であること
判定部２９は内燃エンジン１がワークアウトを継続可能であると判定すると、Ｓ３０６に戻る。一方で、判定部２９は内燃エンジン１がワークアウト運転を継続可能でないと判定すると、Ｓ３０８に進む。
【００２５】
Ｓ３０８で設定部２０は、メモリ２２から通常運転用の制御パラメータを読み出して、スロットル制御部２３、点火制御部２４、ポンプ制御部２７などに設定する。制御パラメータは、たとえば、目標回転速度、空燃比、点火時期の進角などを含む。
【００２６】
＜まとめ＞
本発明によれば、エンジンシステム１００はエンジン発電機の一例である。スロットルモータ１６は内燃エンジン１に供給される空気の流入量を調整するスロットルの一例である。燃料ポンプ１４およびインジェクタ１５は内燃エンジン１に燃料を噴射ないしは供給する噴射装置の一例である。点火装置１１は内燃エンジン１において燃料と空気との混合気体に点火する点火装置の一例である。発電機６は内燃エンジン１により駆動されて発電する発電機の一例である。ＡＣアウトレット３３は発電機６により生成された電力を外部負荷（ＲＶエアコンなど）に供給する供給部の一例である。ワークアウトスイッチ２５や通信回路２１などは外部負荷に対して供給部から電力を供給することを示す予告を受け付ける受付部の一例である。このように予告は大きな電力の供給開始を示唆している。制御部９は受付部に予告が受け付けられると、発電機６で供給できる電力が一時的に増強されるよう空気の流入量、燃料の噴射量に起因した空燃比および点火装置の点火時期の進角を制御する。これより、起動時において比較的に大きな電力を必要とする負荷に対して電力を供給しつつ失速もしにくいエンジン発電機が提供される。
【００２７】
図２が示すようにタイマー２８は予告が受け付けられると計時を開始するタイマーの一例である。制御部９は、予告が受け付けられると発電機６で供給できる電力が増強されるよう空気の流入量を増加させ、燃料の噴射量に起因した空燃比をリッチにし、かつ、点火装置の点火時期の進角を増加させる。制御部９は、タイマー２８により計時された時間が所定時間以上になると、空気の流入量、燃料の噴射量に起因した空燃比、および、点火装置の点火時期の進角を元の値（例：通常運転用のパラメータ）に戻す。エアコンなど誘導電動機を用いる外部負荷は起動時に大きな電力を必要とする。ただし、大きな電力が必要となる時間はそれほど長くはない。そこで、内燃エンジン１をワークアウト回転速度で稼働させる時間を制限することで、燃料消費を低減することができる。また、内燃エンジン１の機械的な負担も軽減されよう。
【００２８】
判定部２９は、予告が受け付けられると、発電機６の出力が所定閾値を超えているかどうかを判定する出力判定手段の一例である。制御部９は発電機６の出力が所定閾値を超えていれば電力の一次的増強を禁止する。一方で、制御部９は、発電機６の出力が所定閾値を超えていなければ電力の一次的増強を許可する。これにより、内燃エンジン１の失速が抑制される。エアコンなどの外部負荷を接続する前に、すでに別の外部不可に発電機６が電力を供給していることも考えられる。このような場合にはエアコンなどの外部負荷に対して十分か起動電力を供給できない可能性がある。そこで、発電機６の現在出力に応じてば電力の一次的増強を禁止または許可することで、内燃エンジン１の失速が抑制される。
【００２９】
温度センサ４３は内燃エンジン１の温度を検知する温度センサの一例である。判定部２９は、予告が受け付けられると、内燃エンジン１の温度が電力の一次的増強を許可可能な温度であるかどうかを判定する温度判定手段の一例である。制御部９は、内燃エンジン１の温度が電力の一次的増強を許可可能な温度でなければ電力の一次的増強を禁止する。また、制御部９は、内燃エンジン１の温度が電力の一次的増強を許可可能な温度であれば電力の一次的増強を許可する。これにより、内燃エンジン１の失速が抑制される。
【００３０】
判定部２９はスロットルの開きの余裕度が所定閾値以上かどうかを判定するスロットル判定手段の一例である。制御部９はスロットルの開きの余裕度が所定閾値以上でなければ電力の一次的増強を禁止し、スロットルの開きの余裕度が所定閾値以上であれば電力の一次的増強を許可する。これにより、スロットルの制御性を確保しつつ、内燃エンジン１の失速が抑制される。
【００３１】
出力部３７は電力の一次的増強を禁止すべきときに供給部に過大な外部負荷が接続されることを警告する通知を出力する出力手段の一例である。これにより、ユーザが過大な外部負荷を接続しないようになろう。
【００３２】
ワークアウトスイッチ２５は電力の一次的増強を要求する状態と電力の一次的増強を解除した状態とを切り替えるスイッチの一例である。通信回路２１は電力の一次的増強を要求する状態と電力の一次的増強を解除した状態とを切り替える指示を受信する通信手段の一例である。
【００３３】
制御部９は、発電機６で供給できる電力を一時的に増強するために空燃比を１２．０以上でかつ１２．５以下に設定してもよい。これは、図５が示すように１２．０以上でかつ１２．５以下の空燃比では軸出力が最大となることが期待されるからである。
【００３４】
制御部９は、発電機６で供給できる電力を一時的に増強するために点火装置１１の点火時期をＭＢＴ（ミニマムアドバンスドフォーベストトルク）に設定してもよい。ＭＢＴでは出力トルクが最大となることが期待されるからである。
【符号の説明】
【００３５】
１００...エンジンシステム、１...内燃エンジン、６...発電機、５...リコイルスターター、９ａ、９ｂ...制御部、１５...インジェクタ、１４...燃料ポンプ、１１...点火装置、７...クランク角センサ、４１...ＣＯセンサ
【図１】
2019100198.tif 000003
【図２】
2019100198.tif 000004
【図３】
2019100198.tif 000005
【図４】
2019100198.tif 000006
【図５】
2019100198.tif 000007
【図６】
2019100198.tif 000008